(57)【要約】      （修正有）【課題】透明樹脂骨壷の内部に収容された小型骨壷の周囲を造花で均一に覆うように当該造花を簡単に配置し固定させることができる花立構造を備えた透明樹脂骨壷を提供する。【解決手段】お骨を収納した小型骨壺Ｋを載置可能な第二部材２と、該第二部材２と接続して小型骨壷Ｋを上側から覆うための第一部材１とを備えた内側透明ケース４と、内側透明ケース４を載置可能な第三部材５と、該第三部材５と接続して内側透明ケース４を上側から覆うための第四部材６とを備えた外側透明ケース８とからなり、外側透明ケース８と内側透明ケース４との間に形成されている離隔空間Ｓに造花Ｐの茎部Ｑから伸びた花部が収容可能とするよう内側透明ケース４の少なくとも第一部材１の壁面に茎部Ｑを貫挿するための茎挿通用孔部９を備え、貫挿した茎部Ｑを内側透明ケース４の内側で固定するよう当該茎部Ｑに嵌め込む脱着可能な茎固定用キャップを備える。【選択図】図１
0003208082.tif 000002
【実用新案登録請求の範囲】
【請求項１】
お骨を収納した小型骨壺が収容され且つ周壁に花立用の茎挿通用孔部を備えてなる内側透明ケースと、茎挿通用孔部に茎部が挿入固定された造花とともに内側透明ケースを覆う外側透明ケースとを備えてなることを特徴とする花立構造を備えた透明樹脂骨壺。
【請求項２】
お骨を収納した小型骨壺を載置可能な第二部材と当該第二部材と接続されて前記小型骨壷を上側から覆うための第一部材とを備えた内側透明ケースと、内側透明ケースを載置可能な第三部材と当該第三部材と接続されて前記内側透明ケースを上側から覆うための第四部材とを備えた外側透明ケースとからなり、前記外側透明ケースと前記内側透明ケースとの間に形成されている離隔空間に造花が配されるよう前記内側透明ケースの少なくとも第一部材の壁面に造花の茎部を貫挿するための複数の茎挿通用孔部が互いに離間して形成されてなることを特徴とする花立構造を備えた透明樹脂骨壺。
【請求項３】
前記茎挿通用孔部に貫挿した茎部を内側透明ケースの内側で固定するよう当該茎部に嵌め込む脱着可能な茎固定用キャップを備えてなる請求項１または２記載の花立構造を備えた透明樹脂骨壺。
【請求項４】
前記茎固定用キャップは、軟質合成樹脂製の素材によって、前記茎部の外径に略対応した内径を有する筒状に形成されてなる請求項３記載の花立構造を備えた透明樹脂骨壺。
【考案の詳細な説明】
【技術分野】
【０００１】
本考案は、透明樹脂骨壷に収納された小型骨壷を覆う造花を簡単に花立ち配置可能にした花立構造を備えた透明樹脂骨壷に関する。
【背景技術】
【０００２】
近年においては、墓石関係に使用される石の約８割以上がインド・アフリカ・スウェーデンなどから入る黒石であり、その他、中国・韓国・ポルトガル・アメリカ・ウルグアイなどからも輸入されている。このように目印として木や石を置く習慣を輸入に頼らず、日本の伝統を残しつつ不易流行を生むための工夫が望まれている。
【０００３】
そこで、近年においては、上記した輸入石材に頼らずに安価な国内生産によって容易に製造でき、また風雨や自然環境に対する耐久性（耐候性）を向上させた丈夫でしかも明るく且つあたたかいイメージの美的感覚の溢れた骨壷が要求されてきている。
【０００４】
例えば、特許文献１に開示されているように、防湿性、防火性、耐衝撃性を目的とする遺骨類の保護構造を備えた骨壷なるものが存在する。すなわちこれは、台座上に接合状態で配置され、上部に開口部を有し、遺骨及び／又は遺灰を保護する保護構造がその中に設けられ、底部が外側に突出している複数枚の葉のデザインを備え、外面が複数枚の立体の蓮華花弁を備えてなる壺本体と、前記開口部を封止する状態で壺本体の上端に配置され、外面が複数枚の立体の蓮華花弁を備え、外上端部が平坦上面を備えてなる蓋体とを具備している。
【０００５】
ただ、特許文献１の骨壺は、防湿性、防火性、耐衝撃性を目的とするものに限られていた。しかし、昨今、墓地のイメージが暗いため、お墓離れという問題が生じており、墓地に行かない人が増えて後継者不足となってきている。さらにまた、石材のお墓や骨壺は、地震等の振動で割れ易いという問題がある。加えて、お墓のお花の世話を行わなくても、常にきれいな花を、お墓に飾りたいというニーズがある。しかも、墓石自体の価格も８０％が輸入品のため高騰化している。また、お墓自体を住宅内や介護センター内に設置するための仏間スペースを設けることは困難であり、仏壇に手を合わせる習慣も風化の一途をたどっている。そこで、お墓の暗いイメージを払拭するデザインで、かつ、丈夫で壊れ難く、花の世話の必要がない現在のニーズにあったお墓や骨壺が望まれていた。
【０００６】
そこで、本件出願人は先の考案において、暗いイメージを払拭し、丈夫で壊れ難く、花の世話の必要がない現在のニーズにあった透明樹脂骨壷を提案した。すなわち、この透明樹脂骨壷は、内部に、造花、石、塩、苔からなる群のうち少なくとも一つと、お骨を収納した小型骨壺との各収納物を載置可能な第二部材と、第二部材と接続されて収納物を上側から覆うための第一部材とを備え、第一部材は、少なくとも表面の一部が透明な樹脂部材で構成され、樹脂部材には、紫外線硬化塗料が塗布されてなる。
【先行技術文献】
【特許文献】
【０００７】
【特許文献１】実用新案登録第３１６１５０５号公報
【考案の概要】
【考案が解決しようとする課題】
【０００８】
しかしながら、上記した透明樹脂骨壷は、内部に収納した小型骨壺の上を単に自然な状態で覆うように造花を収納させているため、造花が一箇所に片寄って小型骨壺を均一に覆うことができないものとなる虞がある。
【０００９】
そこで、本考案は叙上のような従来存した諸事情に鑑み創出されたもので、上記透明樹脂骨壷を改良し、その内部に収容された小型骨壷の周囲を造花で均一に覆われるよう当該造花を簡単に配置固定させることができる花立構造を備えた透明樹脂骨壷を提供することを目的とする。
【課題を解決するための手段】
【００１０】
上述した課題を解決するために、本考案にあっては、お骨を収納した小型骨壺Ｋが収容され且つ周壁に花立用の茎挿通用孔部９を備えてなる内側透明ケース４と、茎挿通用孔部９に茎部Ｑが挿入固定された造花Ｐとともに内側透明ケース４を覆う外側透明ケース８とを備えてなることを特徴とする。
【００１１】
お骨を収納した小型骨壺Ｋを載置可能な第二部材２と当該第二部材２と接続されて前記小型骨壷Ｋを上側から覆うための第一部材１とを備えた内側透明ケース４と、内側透明ケース４を載置可能な第三部材５と当該第三部材５と接続されて前記内側透明ケース４を上側から覆うための第四部材６とを備えた外側透明ケース８とからなり、前記外側透明ケース８と前記内側透明ケース４との間に形成されている離隔空間Ｓに造花Ｐが配されるよう前記内側透明ケース４の少なくとも第一部材１の壁面に造花Ｐの茎部Ｑを貫挿するための複数の茎挿通用孔部９が互いに離間して形成されてなることを特徴とする。
【００１２】
前記茎挿通用孔部９に貫挿した茎部Ｑを内側透明ケース４の内側で固定するよう当該茎部Ｑに嵌め込む脱着可能な茎固定用キャップ１０を備える。
【００１３】
前記茎固定用キャップ１０は、軟質合成樹脂製の素材によって、前記茎部Ｑの外径に略対応した内径を有する筒状に形成されてなる。
【考案の効果】
【００１４】
本考案によれば、透明樹脂骨壷の内部に収容された小型骨壷の周囲を造花で均一に覆うように当該造花を簡単に配置固定させることができる花立構造を備えた透明樹脂骨壷を提供することができる。
【００１５】
すなわち、お骨を収納した小型骨壺Ｋが収容され且つ周壁に花立用の茎挿通用孔部９を備えてなる内側透明ケース４と、茎挿通用孔部９に茎部Ｑが挿入固定された造花Ｐとともに内側透明ケース４を覆う外側透明ケース８とを備えてなるので、内側透明ケース４の茎挿通用孔部９に茎部Ｑが挿入固定された造花Ｐは、内側透明ケース４と外側透明ケース８との間で略均一に配置させることができ、暗いイメージを払拭し、丈夫で壊れ難く、花の世話の必要がない現在のニーズにあった透明樹脂骨壷とすることができ、しかも、風雨や自然環境に対する耐久性（耐候性）を向上させた丈夫でしかも明るく且つあたたかいイメージの美的感覚の溢れたものとすることができる。
【００１６】
また、お骨を収納した小型骨壺Ｋを載置可能な第二部材２と当該第二部材２と接続されて前記小型骨壷Ｋを上側から覆うための第一部材１とを備えた内側透明ケース４と、内側透明ケース４を載置可能な第三部材５と当該第三部材５と接続されて前記内側透明ケース４を上側から覆うための第四部材６とを備えた外側透明ケース８とからなり、前記外側透明ケース８と前記内側透明ケース４との間に形成されている離隔空間Ｓに造花Ｐが配されるよう前記内側透明ケース４の少なくとも第一部材１の壁面に造花Ｐの茎部Ｑを貫挿するための複数の茎挿通用孔部９が互いに離間して形成されてなるので、第一部材１の茎挿通用孔部９に茎部Ｑを挿入固定させてから、小型骨壺Ｋを載置した第二部材２に第一部材１を接続することで周囲に造花Ｐが略均一に配置された内側透明ケース４となし、この内側透明ケース４を第三部材５に載置し、第三部材５に第四部材６を接続することで外側透明ケース８となすことから、内側透明ケース４と外側透明ケース８との間の離隔空間Ｓに造花Ｐを略均一な状態となって配置させることができるとともに、造花Ｐは外側透明ケース８によって密封されているため、の周辺環境による造花Ｐの劣化を防ぐことができる。
【００１７】
前記茎挿通用孔部９に貫挿した茎部Ｑを内側透明ケース４の内側で固定するよう当該茎部に嵌め込む脱着可能な茎固定用キャップ１０を備えているので、茎部Ｑを内側透明ケース４の内側で簡単且つ強固に固定することができ、透明樹脂骨壷の内部で造花を一方向に片寄らずに安定した状態で設置することがでる。
【００１８】
前記茎固定用キャップ１０は、軟質合成樹脂製の素材によって、前記茎部Ｑの外径に略対応した内径を有する筒状に形成されてなるので、小型骨壷Ｋの周囲を造花Ｐで均一に覆うよう茎部Ｑを内側透明ケース４の内側に簡単に固定させることができる。
【図面の簡単な説明】
【００１９】
【図１】本考案を実施するための一形態における花立構造を備えた透明樹脂骨壺の一例を示す斜視図である。
【図２】同じく花立構造を備えた透明樹脂骨壺の一例を示す正面図である。
【図３】花立構造を備えた透明樹脂骨壺の使用の一例を示すもので、（ａ）は茎挿通用孔部に造花の茎部を挿入し、内側透明ケースの内側から茎部に茎固定用キャップを装着する直前の状態を示す一部省略の断面図、（ｂ）は茎部に茎固定用キャップを装着した状態を示す一部省略の断面図である。
【考案を実施するための形態】
【００２０】
以下、図面を参照して本考案の実施の一形態を詳細に説明する。本考案に係る花立構造を備えた透明樹脂骨壺は、図１及び図２に示すように、お骨を収納した小型骨壺Ｋが収容される内側透明ケース４と、内側透明ケース４を覆う外側透明ケース８との二重構造となっており、内側透明ケース４と外側透明ケース８との間には造花Ｐが略一様に配置させることができるようになっている。これら内側透明ケース４と外側透明ケース８は、紫外線硬化塗料が塗布されている透明合成樹脂部材で構成されている。なお、内側透明ケース４と外側透明ケース８は、それら表面の一部が透明となした合成樹脂部材で構成されていても良い。
【００２１】
具体的には、本考案に係る花立構造を備えた透明樹脂骨壺は、骨壺ではあるが事実上は、お墓である。別途、お骨はセラミック製の小型骨壺Ｋなどに入れて、この二重構造の透明樹脂骨壺の中に収納される。
【００２２】
内側透明ケース４は、お骨を収納した小型骨壺Ｋを載置可能な第二部材２と、当該第二部材２と接続されて前記小型骨壷Ｋを上側から覆うための第一部材１とを備え、第二部材２は、お骨を収納した小型骨壺Ｋを載置可能としたタマゴ型鈍端部分を模したお椀状となって形成されている。また、第一部材１は、内部の前記小型骨壷Ｋを上方側から覆うためにタマゴ型尖端部分を模した蓋状となって形成されている。この第一部材１は、第二部材２に上側から、互いの開口側に各形成されている段差状の溝部３ａ，３ｂ同士の嵌合によって接続される。
【００２３】
外側透明ケース８は、前記内側透明ケース４を載置可能な第三部材５と、当該第三部材５と接続されて前記内側透明ケース４を上側から覆うための第四部材６とを備え、第三部材５は、内側透明ケース４を載置可能としたタマゴ型鈍端部分を模したお椀状となって形成されている。また、第四部材６は、内部の内側透明ケース４を上方側から覆うためにタマゴ型尖端部分を模した蓋状となって形成されている。この第四部材６は、第三部材５に上側から、互いの開口側に各形成されている段差状の溝部７ａ，７ｂ同士の嵌合によって接続され、これによって前記外側透明ケース８と前記内側透明ケース４との間に造花Ｐが収容配置される離隔空間Ｓが形成される。
【００２４】
図２に示すよう、前記内側透明ケース４の少なくとも第一部材１の壁面には、例えば光触媒系・光増感系のアレンジフラワー等による造花Ｐの茎部Ｑを貫挿するための円形スルーホール状の複数の茎挿通用孔部９が互いに離間して散在するように形成されている。
【００２５】
そして、図３に示すように、上記茎挿通用孔部９に貫挿して内側透明ケース４の内側に突き出た茎部Ｑには、軟質合成樹脂製の茎固定用キャップ１０が脱着可能となって嵌め込まれて固定できるようになっている。この茎固定用キャップ１０は、茎部Ｑにしっかりと嵌め込んで保持することができるよう茎部Ｑの外径に対応した、あるいは茎部Ｑの外径よりも若干小径となった内径を有する筒状に形成されている。
【００２６】
次に、以上のように構成された形態についての使用の一例について説明する。
【００２７】
先ず、第一部材１と第二部材２を分離して、小型骨壺Ｋを第二部材２に載置する一方、図３（ａ）に示すように、第一部材１の複数の茎挿通用孔部９それぞれに造花Ｐの茎部Ｑを貫挿し、図３（ｂ）に示すように、第一部材１の内側から茎部Ｑに茎固定用キャップ１０を嵌め込んで固定させてから第一部材１を第二部材２に溝部３ａ，３ｂ同士の嵌合によって接続する。これにより、小型骨壺Ｋが略隠れるように周囲に造花Ｐが略均一に配置されたタマゴ型となった内側透明ケース４とする。
【００２８】
次いで、この内側透明ケース４を第三部材５に載置し、第三部材５に第四部材６を溝部７ａ，７ｂ同士の嵌合によって接続することでタマゴ型となった外側透明ケース８とする。これにより、ともにタマゴ型となす内側透明ケース４と外側透明ケース８との間に形成された離隔空間Ｓに造花Ｐが略均一な配置状態を維持したまま密封状に収容される（図１参照）。
【００２９】
なお、上記した実施形態においては、透明樹脂骨壺をタマゴ型に成形しているが、これに限らず、さらに例えば樹木型、竹型、石造型、箱型等の他の様々な変形例も可能である。また、透明樹脂骨壺自体は有色透明であっても良い。
【００３０】
上記した透明合成樹脂部材としては、紫外線硬化塗料である例えばセラミックコーティング加工を内面（または外面）に施した強化クリスタル樹脂等が使用されている。第二部材２及び第四部材６にもこのような樹脂部材が使用されていても良い。この強化クリスタル樹脂としては、高い温度域でも使用できるように処理したエージング処理品（３００度加熱処理品）である高い断熱・耐熱性と高強度を有するミオレックスＰＭＸ５６２等がある。また、上記紫外線硬化塗料としては、上記セラミックコーティング加工のほかに、フッ素樹脂コーティングやセラミック複合コーティング、さらにはグラスファイバコーティングであっても良い。また、上記以外のその他の樹脂部材としては、ガラス繊維やカーボン繊維と樹脂の複合材（ＦＲＰ）、植物由来プラスチック等であっても良い。また、強化クリスタル樹脂の「クリスタル」は、「あたたかく見守って頂ける実感」を生み出す力をもっており、暗く悲しい想いから絆世界へと続くというように、やさしく見守られている安心感をかもしだしてくれるので本考案に係る透明樹脂骨壺としては好適である。
【符号の説明】
【００３１】
Ｐ…造花
Ｑ…茎部
Ｓ…離隔空間
Ｋ…小型骨壷
１…第一部材
２…第二部材
３ａ，３ｂ…溝部
４…内側透明ケース
５…第三部材
６…第四部材
７ａ，７ｂ…溝部
８…外側透明ケース
９…茎挿通用孔部
１０…茎固定用キャップ
【図１】
0003208082.tif 000003
【図２】
0003208082.tif 000004
【図３】
0003208082.tif 000005